(57)【要約】【課題】より鮮明な像の表示が可能な新たな反射防止処理が施されたコンバイナを提供する。【解決手段】透明な板状の光学部材であるコンバイナ本体１１と、前記コンバイナ本体の表面上に配置されたフィルム１２とを備え、前記フィルムは、前記コンバイナ本体の表面と近接する一方の面とは反対側の他方の面に凹部または凸部１２ａが周期的に連続して形成され、一周期分の前記凹部または前記凸部の間隔が可視光の波長よりも短い。前記連続する凹部または凸部１２ａが形成された面の境界では、可視光が反射せずに透過するので、複数の光路を通った光が重なって表示されるのを防止でき、鮮明な像の表示が可能になる。接着層を設ける場合には、アイポイントからの距離が遠い方の面にフィルム１２を配置する。【選択図】図１
2014206593.tif 000002
【特許請求の範囲】
【請求項１】
透明な板状の光学部材であるコンバイナ本体と、
前記コンバイナ本体の表面上に配置されたフィルムと、
を備え、
前記フィルムは、前記コンバイナ本体の表面と近接する一方の面とは反対側の他方の面に凹部または凸部が周期的に連続して形成され、一周期分の前記凹部または前記凸部の間隔が可視光の波長よりも短い、
ことを特徴とするコンバイナ。
【請求項２】
前記コンバイナ本体は、前記コンバイナ本体からの反射光を観察する位置であるアイポイントと前記コンバイナ本体とを結ぶ直線に交差する２つの面を有し、
前記フィルムは、前記コンバイナ本体の２つの面のうちのいずれか一方の面上に配置される、
ことを特徴とする請求項１に記載のコンバイナ。
【請求項３】
前記フィルムは、前記コンバイナ本体の２つの面のうちの、前記アイポイントからの距離が大きい一方の面上に配置される、
ことを特徴とする請求項２に記載のコンバイナ。
【請求項４】
前記フィルムは、前記コンバイナ本体の面と近接する一方の面が所定の接着層を介して前記コンバイナ本体の表面に接着されることにより、前記コンバイナ本体の表面上に配置される、
ことを特徴とする請求項３に記載のコンバイナ。
【発明の詳細な説明】
【技術分野】
【０００１】
本発明は、光学部材であるコンバイナに関し、例えば車両に搭載されるヘッドアップディスプレイ（ＨＵＤ：Head Up Display）装置などに利用される。
【背景技術】
【０００２】
車両に搭載されるＨＵＤ装置においては、特許文献１に開示されているように、ＨＵＤ装置の本体から投射された光の像を平板状のコンバイナに入射させ、このコンバイナの面で反射した光を運転者の観察位置であるアイポイントに導いている。従って、アイポイントで観察できる像は、コンバイナよりも前方の位置に存在するかのように虚像として結像される。また、コンバイナは透明であるので、運転者はコンバイナを透過して見える車両外部の風景等の実像と表示された虚像とを重ね合わせた状態で見ることができる。
【０００３】
また、特許文献２に開示されているように、ＨＵＤ装置用のコンバイナと同等の機能を有する反射スクリーンも知られている。すなわち、シースルー型の表示装置においては、反射・透過性のスクリーンに映像を投影し、スクリーンの背景と、投影した映像とを観察することができる。
【先行技術文献】
【特許文献】
【０００４】
【特許文献１】特開平８−１１５８０号公報
【特許文献２】特開２００９−２３７３５１号公報
【発明の概要】
【発明が解決しようとする課題】
【０００５】
ところで、光の反射は主に屈折率の急激な変化によって生じる。従って、板状のコンバイナを利用するＨＵＤ装置の場合には、コンバイナの表側の面と裏側の面との双方で光の反射が発生する。つまり、ＨＵＤ装置の本体から投射された光の像は、コンバイナの表側の面で反射されて所定のアイポイントに向かうが、同時にコンバイナの裏側の面で反射された光もアイポイントに向かう。すなわち、互いに光路が違う２つの像が共通のアイポイントで観察できることになり、光路の違いにより互いに表示位置がずれた２つの像の重なりとして見えてしまう。これにより表示の視認性や表示品質が大幅に低下する。
【０００６】
特に、車両用のＨＵＤ装置の場合には、ある程度の厚みを有するコンバイナが使用されることが多く、表面側で反射する像と裏面側で反射する像との光路差が大きくなりやすい。このため、重なる２つの像の位置ずれも大きくなる。従って、特許文献１等に開示されているコンバイナにおいては、様々な反射防止処理が施されている。
【０００７】
本発明は、上述した事情に鑑みてなされたものであり、その目的は、より鮮明な像の表示が可能な新たな反射防止処理が施されたコンバイナを提供することにある。
【課題を解決するための手段】
【０００８】
前述した目的を達成するために、本発明に係るコンバイナは、下記（１）〜（４）を特徴としている。
（１）  透明な板状の光学部材であるコンバイナ本体と、
前記コンバイナ本体の表面上に配置されたフィルムと、
を備え、
前記フィルムは、前記コンバイナ本体の表面と近接する一方の面とは反対側の他方の面に凹部または凸部が周期的に連続して形成され、一周期分の前記凹部または前記凸部の間隔が可視光の波長よりも短い、
こと。
（２）  上記（１）の構成のコンバイナであって、
前記コンバイナ本体は、前記コンバイナ本体からの反射光を観察する位置であるアイポイントと前記コンバイナ本体とを結ぶ直線に交差する２つの面を有し、
前記フィルムは、前記コンバイナ本体の２つの面のうちのいずれか一方の面上に配置される、
こと。
（３）  上記（２）の構成のコンバイナであって、
前記フィルムは、前記コンバイナ本体の２つの面のうちの、前記アイポイントからの距離が大きい一方の面上に配置される、
こと。
（４）  上記（３）の構成のコンバイナであって、
前記フィルムは、前記コンバイナ本体の面と近接する一方の面が所定の接着層を介して前記コンバイナ本体の表面に接着されることにより、前記コンバイナ本体の表面上に配置される、
こと。
【０００９】
上記（１）の構成のコンバイナによれば、前記フィルムに形成された前記凹部または前記凸部は、間隔が可視光の波長よりも短いので、可視光を反射せず透過することができる。すなわち、前記コンバイナ本体の表面で発生する光の反射を防止することができる。
上記（２）の構成のコンバイナによれば、前記コンバイナ本体の２つの面のうちのいずれか一方の面の反射を前記フィルムが防止するので、前記アイポイントに向かう光の像の光路を一方だけに制限し、表示像が２重に映るのを防止できる。
上記（３）の構成のコンバイナによれば、前記コンバイナ本体の一方の面で反射し前記アイポイントに向かう光の像が、より鮮明な状態で表示される。
上記（４）の構成のコンバイナによれば、前記コンバイナ本体の一方の面で反射し前記アイポイントに向かう光が、前記接着層を通過する回数が減る。従って、前記接着層における僅かな光の反射等の影響も抑制することができ、より鮮明な状態で表示可能になる。
【発明の効果】
【００１０】
本発明のコンバイナによれば、コンバイナ本体における光の反射によって、像が二重に見える状況を回避することが可能であり、ＨＵＤ装置等においてより鮮明な表示が可能になる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、コンバイナの構成例を示す側面図である。
【図２】図２は、図１のコンバイナを利用するＨＵＤ装置の構成例を示す側面図である。
【図３】図３は、図１に示したコンバイナにおける光路を示す側面図である。
【図４】図４は、図１に示したフィルムの断面構造を拡大して示す側面図である。
【図５】図５は、フィルムが存在しないコンバイナにおける入射光および反射光を示す側面図である。
【図６】図６は、図４に示したフィルムにおける各部の屈折率の分布状態を示すグラフである。
【図７】図７は、フィルムを設けたコンバイナにおける入射光および反射光を示す側面図である。
【図８】図８は、フィルムが存在しないコンバイナを利用するＨＵＤ装置における光路を示す側面図である。
【図９】図９は、図８に示す状況でアイポイントに投影される像の具体例を示す正面図である。
【図１０】図１０は、図１に示したコンバイナの変形例の構成を示す側面図である。
【図１１】図１１は、図１および図１０に示したコンバイナを利用するＨＵＤ装置においてアイポイントに投影される像の具体例を示す正面図である。
【図１２】図１２は、接着層を含むコンバイナの構成および光路を示す側面図である。
【図１３】図１３は、図１２に示したコンバイナの変形例を示す側面図である。
【発明を実施するための形態】
【００１３】
本発明のコンバイナに関する具体的な実施の形態について、各図を参照しながら以下に説明する。
【００１４】
＜第１実施形態＞
＜システム全体の概要の説明＞
本実施形態におけるコンバイナ１０の構成例を図１に示す。また、図１のコンバイナ１０を利用するＨＵＤ装置の構成例を図２に示す。
【００１５】
本実施形態では、図１に示すように、車両に搭載したＨＵＤ装置の一部分としてコンバイナ１０を利用する場合を想定している。勿論、ＨＵＤ装置以外の用途でコンバイナ１０を利用することも可能である。
【００１６】
図２に示した例では、ＨＵＤ装置の本体であるＨＵＤユニット１００が、車両のダッシュボード近傍に配置されている。ＨＵＤユニット１００の内部には、表示部１１０、ミラー１２０、角度調整機構１３０等の構成要素が備わっている。
【００１７】
表示部１１０は、例えば透過型の液晶表示パネルにより構成され、ＨＵＤ装置が表示すべき可視情報を表示することができる。具体的には、速度表示用の文字情報として、「６０ｋｍ／ｈ」を表示したり、変速機の状態として文字の「Ｄ」を表示したり、警告用の特別なパターンを表示することができる（図１１参照）。
【００１８】
表示部１１０が表示した可視情報は、その近傍に配置されたバックライトにより照明され、光の像として投射される。すなわち、表示部１１０から出射された光の像は、ミラー１２０を介してコンバイナ１０に投影され、更にコンバイナ１０の面で反射して運転者の観察位置である所定のアイポイント２０に向かう。
【００１９】
コンバイナ１０の面による光の反射を利用しているので、アイポイント２０の位置で見える表示像３０は、図２に示すように、コンバイナ１０および車両の窓ガラスよりも前方の所定の位置に存在するかのように、虚像として表示される。
【００２０】
＜コンバイナの構成＞
図１に示したコンバイナ１０は、コンバイナ本体１１およびフィルム１２で構成されている。コンバイナ本体１１は、光学的に透明な材料を用いて板状に構成されている。具体例としては、アクリル樹脂を材料として用いることができる。また、撓みや変形が生じないように、コンバイナ本体１１は十分な厚みを有している。
【００２１】
フィルム１２は、コンバイナ本体１１と同等の屈折率を有する透明な材料を用いて構成してある。例えば、ポリカーボネートを用いてフィルム１２を構成することができる。フィルム１２の厚みは、コンバイナ本体１１よりも十分に薄い。フィルム１２は、コンバイナ本体１１の一方の面と重なるように配置してある。図３に示した構成においては、コンバイナ本体１１の厚み方向の２つの面（１１ａ、１１ｂ）のうち、アイポイント２０から距離が遠い方の面（１１ｂ）に重ねてフィルム１２を配置してある。
【００２２】
また、フィルム１２の外気と接する側の面（アイポイント２０から距離が遠い方の面）には、面の全域にわたって均一に微細凹凸部１２ａが形成してある。微細凹凸部１２ａの詳細については後で説明する。
【００２３】
＜光路の説明＞
図１に示したコンバイナ１０における光路を図３に示す。
図２に示したＨＵＤユニット１００から出射された光は、図３に示すように入射光２１としてコンバイナ本体１１の面１１ａに入射する。この面１１ａでは、コンバイナ本体１１の屈折率と、外気（大気）の屈折率と間に大きな違いがあるため、面１１ａと外気との境界で光の反射が発生する。従って、入射光２１の一部分（４％程度）が反射し、反射光２２としてアイポイント２０に向かう。
【００２４】
また、入射光２１の一部分はコンバイナ本体１１を透過して他方の面１１ｂに向かう。この面１１ｂと重なるように屈折率が同等のフィルム１２が配置してあるので、面１１ｂとフィルム１２の境界では光の反射は生じない。また、フィルム１２の外気と接する側の面には微細凹凸部１２ａが形成してあるため、フィルム１２の外気と接する側の面と外気の境界においても光の反射が生じることはなく（詳細は後述する）、コンバイナ本体１１およびフィルム１２を透過した光の全体が、透過光２３としてコンバイナ１０を通過する。
【００２５】
従って、アイポイント２０に入射する光については、コンバイナ本体１１の面１１ｂやフィルム１２における反射の影響を受けることはない。これにより、光路の違う複数の像が重なることがなくなり、鮮明な表示が実現する。
【００２６】
＜フィルムの詳細な構成の説明＞
図１に示したフィルム１２の一部分の断面構造を拡大して図４に示す。
図４に示すように、フィルム１２の外気と接する側の面に微細凹凸部１２ａが形成してある。この微細凹凸部１２ａは、可視光の波長（３００［ｎｍ］〜８００［ｎｍ］程度）よりも小さい一定の間隔で、多数の微細な凹部又は凸部を周期的にかつ連続的に形成したものである。図４に示した例では、形成する凹凸の間隔を１００［ｎｍ］に定めてある。
【００２７】
また、微細凹凸部１２ａを構成する多数の凹凸の各々は、フィルム１２の厚み方向の高さの変化に応じて、断面積が連続的に徐々に変化するように、図４のように斜面を有する表面形状になっている。
【００２８】
＜不要な反射を防止する原理の説明＞
＜微細凹凸部１２ａが存在しない場合の光路＞
フィルム１２の微細凹凸部１２ａが存在しない場合のコンバイナにおける入射光および反射光を図５に示す。
【００２９】
図５のように、コンバイナの基材に光が入射する場合、入射光の一部分は、外気と基材の表側の面（入射面）との境界で反射する。更に、基材を透過する光の一部分は、基材の裏側の面（出射面）と外気との境界で反射し、残りの光が基材を通過する。
【００３０】
各部の反射光の比率は、以下に示すフレネルの式から求めることができる。
Ｒ＝｛（ｎ０cosθ０−ｎ１cosθ１）／（ｎ０cosθ０＋ｎ１cosθ１）｝２
Ｒ：反射率
ｎ０：空気の屈折率
ｎ１：基材の屈折率（ポリカーボネートの場合：１．５８５）
θ：入射角度
【００３１】
例えば、基材の屈折率が１．５、入射角度θが０度の場合には、図５に示すように各部の反射光は４％程度の比率になる。
図５に示すように、基材の２つの面でそれぞれ光が反射すると、光路の違う複数の光が位置ずれしたまま重なって投影される。これにより、表示の視認性や表示品質が低下する。このような不要な反射を防止するために、前述の微細凹凸部１２ａが設けてある。
【００３２】
＜フィルム１２上の屈折率の分布状態＞
図４に示したフィルム１２における各部の屈折率の分布状態を図６に示す。
【００３３】
「共鳴・サブ波長の原理」によれば、構造の周期が短くなると、回折や光波共鳴は発生せず、微細構造は周期を構成する材料と空気の平均屈折率の物質とみなすことができる。つまり、微細凹凸部１２ａのように、可視光の波長よりも短い間隔で形成された凹凸の箇所については、各部の屈折率がフィルム１２の材料と空気の平均屈折率により定まる。また、凹凸の箇所に斜面が形成されているため、高さ（厚み）方向の位置の違いに応じて、凹凸の断面積が変化している。更に、断面積の変化は緩やかであり、連続的である。このような断面積の変化に伴って、フィルム１２の材料と空気との面積の比率が変化し、前記平均屈折率が変化する。
【００３４】
上記の理由により、微細凹凸部１２ａにおける各部の屈折率は、図６に示すように高さに応じて連続的に、かつ緩やかに変化する。つまり、微細凹凸部１２ａにおけるフィルム１２の材料と隣接する空気との境界については、どの位置においても急激な屈折率の変化は生じない。光の反射は主に屈折率の急激な変化によって生じるので、微細凹凸部１２ａの各部のように屈折率が緩やかにしか変化しない境界では反射はほとんど生じないことになる。
【００３５】
＜微細凹凸部１２ａが存在する場合の光路＞
微細凹凸部１２ａを有するフィルム１２を設けたコンバイナ１０における入射光および反射光を図７に示す。
【００３６】
図７に示すように、上方からフィルム１２に向かう方向に光が入射する場合には、上記の理由により、微細凹凸部１２ａと外気との境界では入射光の全体がそのままフィルム１２に入射し反射はほとんど生じない。また、コンバイナ本体１１を透過した光は、面１１ａと外気との境界で一部分（例えば４％）が反射し、それ以外の残りの光が面１１ａから外気側に出射される。面１１ａで反射した光は、再びコンバイナ本体１１およびフィルム１２を透過し、微細凹凸部１２ａと外気との境界でも反射することなく、外気側に出射される。
【００３７】
＜表示される像の具体例＞
＜微細凹凸部１２ａが存在しない場合＞
微細凹凸部１２ａが存在しないコンバイナを利用するＨＵＤ装置における光路を図８に示す。また、図８に示す状況でアイポイントに投影される像の具体例を図９に示す。
【００３８】
図８に示す状況においては、ＨＵＤユニット１００から投射されコンバイナに入射する入射光が、コンバイナの厚み方向の２面の各々と外気との境界でそれぞれ反射する。従って、複数の光路を通った光がそれぞれアイポイント２０に向かう。そのため、複数の光路を通った光の像が互いに位置ずれし重なった状態で投影される。
【００３９】
図９に示した表示像３０Ａにおいては、光路の違いにより上下方向に互いに位置がずれた状態で２つの像が重なって表示されている。つまり、「６０ｋｍ／ｈ」、「Ｄ」、および警告のパターンが、それぞれ２つずつ位置がずれた状態で重なっている。このため、視認性および表示品質を改善する必要がある。
【００４０】
＜微細凹凸部１２ａが存在する場合＞
図１に示したコンバイナ１０を利用するＨＵＤ装置においてアイポイントに投影される像の具体例を、表示像３０Ｂとして図１１に示す。
【００４１】
図１に示したコンバイナ１０を利用する場合には、図３に示したように光路が形成されるので、アイポイント２０に向かう反射光の光路は１つだけになる。従って、図９に示すような像の重なりは発生せず、図１１に示す表示像３０Ｂのように鮮明な像をアイポイント２０で視認することができる。
【００４２】
なお、例えば紫外線のように、微細凹凸部１２ａの凹凸の間隔（１００ｎｍ）よりも波長が小さい光の成分については、微細凹凸部１２ａと外気との境界において数％程度の反射が生じる可能性がある。しかし、ＨＵＤ装置の表示を視認する人間は、可視光以外の光の成分を認知することができないので、紫外線等の光が微細凹凸部１２ａの箇所で反射しても表示内容に変化は生じない。
【００４３】
＜変形例＞
＜構成の説明＞
図１に示したコンバイナ１０の変形例の構成を図１０に示す。図１０に示したコンバイナ１０Ｂは、図１のコンバイナ１０と同様に、コンバイナ本体１１およびフィルム１２を備えている。
【００４４】
但し、コンバイナ１０Ｂにおいては、コンバイナ本体１１の厚み方向の２つの面１１ａ、１１ｂのうち、アイポイント２０に距離が近い方の面１１ａと重ねた状態でフィルム１２が配置してある。フィルム１２の微細凹凸部１２ａは、外気と触れる側の面に形成してある。
【００４５】
＜光路の説明＞
前述のＨＵＤユニット１００から出射されコンバイナ１０Ｂに向かう光は、図１０に示すように入射光２１としてフィルム１２の面（微細凹凸部１２ａが存在する面）に入射する。
【００４６】
前述のように、微細凹凸部１２ａと外気との境界では光の反射が生じないので、入射光２１の全体がそのままコンバイナ１０Ｂのフィルム１２およびコンバイナ本体１１を透過する。そして、コンバイナ本体１１の面１１ｂと外気との境界では、屈折率の急激な変化により数％程度の反射が生じる。これが反射光２２として面１１ｂからアイポイント２０に向かう。また、面１１ｂからアイポイント２０に向かう光は、フィルム１２と外気との境界を再び通過するが、この時にも微細凹凸部１２ａが存在するのでこの境界で反射が生じることはない。
【００４７】
＜表示される像の具体例＞
図１０に示したコンバイナ１０Ｂを使用する場合にも、アイポイント２０に向かう光の光路は１つだけである。従って、図９の表示像３０Ａのような像の重なりが生じることはない。
【００４８】
＜第２実施形態＞
＜構成の説明＞
本実施形態におけるコンバイナ１０Ｃの構成および光路を図１２に示す。また、図１２に示したコンバイナの変形例を図１３に示す。
【００４９】
ところで、図１０に示したコンバイナ１０Ｂを使用する場合には、アイポイント２０に向かう反射光２２は、フィルム１２およびコンバイナ本体１１をそれぞれ２回通過しているので、コンバイナ１０の場合と比べて表示品質が多少劣化する可能性がある。例えば、図１１に示した表示像３０Ｃのように、表示像３０Ｂよりも少しぼやけて鮮明度が低下する場合がある。第２実施形態で説明する変形例は、鮮明度の低下を抑えることができるものである。
【００５０】
図１２に示したコンバイナ１０Ｃは、図１のコンバイナ１０と同様に、コンバイナ本体１１およびフィルム１２を備えている。また、コンバイナ１０Ｃのフィルム１２は、コンバイナ本体１１の厚み方向の２つの面１１ａ、１１ｂのうち、アイポイント２０からの距離が遠い方の面１１ｂ側に配置してある。
【００５１】
また、図１２に示したコンバイナ１０Ｃにおいては、フィルム１２を接着によりコンバイナ本体１１にしっかりと固定してある。従って、図１２に示すようにコンバイナ本体１１とフィルム１２との境界に接着層１３が存在している。
【００５２】
接着層１３は透明であり、接着層１３の厚みはコンバイナ本体１１およびフィルム１２よりも非常に小さい。しかし、接着層１３が光学的に僅かながら光の減衰、散乱、反射などの悪影響を及ぼす可能性もある。つまり、接着層１３の影響により、図１１に示した２つの表示像３０Ｂ、３０Ｃの違いのように、鮮明度や表示品質が僅かに劣化する可能性がある。
【００５３】
従って、接着層１３がアイポイント２０に到達する光に与える影響を抑えるために、図１２に示すように、フィルム１２はコンバイナ本体１１の厚み方向の２つの面１１ａ、１１ｂのうち、アイポイント２０からの距離が遠い方の面１１ｂ側に配置してある。
【００５４】
＜光路の説明＞
図２に示したＨＵＤユニット１００から出射された光は、図１２に示すように入射光２１としてコンバイナ本体１１の面１１ａに入射する。外気と面１１ａの境界では、コンバイナ本体１１の屈折率と、外気（大気）の屈折率との間に大きな違いがあるため、光の反射が発生する。従って、入射光２１の一部分（４％程度）が反射し、反射光２２としてアイポイント２０に向かう。
【００５５】
また、入射光２１の一部分はコンバイナ本体１１を透過して他方の面１１ｂに向かう。さらに、入射光２１の一部分は接着層１３を通過してフィルム１２に向かう。接着層１３と重なるように屈折率が同等のフィルム１２が配置してあるので、接着層１３とフィルム１２の境界では光の反射は生じない。また、フィルム１２の外気と接する側の面には微細凹凸部１２ａが形成してあるため、フィルム１２の外気と接する側の面と外気の境界においても光の反射が生じることはなく、コンバイナ本体１１およびフィルム１２を透過した光の全体が、透過光２３としてコンバイナ１０を通過する。
【００５６】
従って、アイポイント２０に入射する反射光２２については、面１１ｂと接着層１３の境界において反射した光がわずかに含まれているものの、接着層１３を通過していない光が支配的となる。このため、コンバイナ本体１１の面１１ｂやフィルム１２の各部における反射等の影響を受けることもない。これにより、鮮明な表示が実現する。
【００５７】
＜変形例との違いの説明＞
一方、図１３に示した変形例のコンバイナ１０Ｄにおいては、フィルム１２はコンバイナ本体１１の厚み方向の２つの面１１ａ、１１ｂのうち、アイポイント２０からの距離が近い方の面１１ａ側に配置してある。
【００５８】
従って、図１３のコンバイナ１０Ｄの場合には、ＨＵＤユニット１００から出射された入射光２１は、図１３の右に向かってフィルム１２、接着層１３、およびコンバイナ本体１１を透過し、コンバイナ本体１１の面１１ｂで一部分が反射される。更に、面１１ｂで反射した反射光が、図１３の左に向かってコンバイナ本体１１、接着層１３、およびフィルム１２を順次に透過し、反射光２２Ｂとしてアイポイント２０に向かう。つまり、コンバイナ１０Ｄを使用する場合には、アイポイント２０に入射する反射光２２Ｂは、接着層１３を２回通過した光が支配的となる。
【００５９】
従って、図１２のコンバイナ１０Ｃの場合には接着層１３が反射光２２に与える影響を最小限に抑えられるのに対し、コンバイナ１０Ｄの場合には反射光２２Ｂは接着層１３を２回通過した光であるため、例えば光の強度の減衰、光の散乱、反射などの影響を受け易くなってしまう。このため、図１２の反射光２２によって視認される像は、図１１の表示像３０Ｂに示されるように輪郭が鮮明に視認されるのに対して、図１３の反射光２２Ｂによって視認される像は、図１１の表示像３０Ｃに示されるように、ぼやけてしまう。
【００６０】
この結果、フィルム１２をコンバイナ本体１１に固定するために接着する場合であっても、コンバイナ１０Ｃのようにフィルム１２をコンバイナ本体１１の厚み方向の２つの面１１ａ、１１ｂのうち、アイポイント２０からの距離が遠い方の面１１ｂ側に配置することにより、接着層１３が反射光２２に与える影響を最小限に抑え、表示の鮮明度が低下するのを防止することができる。
【符号の説明】
【００６１】
１０，１０Ｂ，１０Ｃ，１０Ｄ  コンバイナ
１１  コンバイナ本体
１２  フィルム
１２ａ  微細凹凸部
１３  接着層
２０  アイポイント
２１  入射光
２２  反射光
２３  透過光
３０，３０Ａ，３０Ｂ，３０Ｃ  表示像
１００  ＨＵＤユニット
１１０  表示部
１２０  ミラー
１３０  角度調整機構
【図１】
2014206593.tif 000003
【図２】
2014206593.tif 000004
【図３】
2014206593.tif 000005
【図４】
2014206593.tif 000006
【図５】
2014206593.tif 000007
【図６】
2014206593.tif 000008
【図７】
2014206593.tif 000009
【図８】
2014206593.tif 000010
【図９】
2014206593.tif 000011
【図１０】
2014206593.tif 000012
【図１２】
2014206593.tif 000013
【図１３】
2014206593.tif 000014
【図１１】
2014206593.tif 000015